(57)【特許請求の範囲】
【請求項１】
撮影に関する様様な情報をアイコンで表示する表示パネルを覆うレンズと、該レンズの外周部に配列された操作ボタンと、を有する携帯機器において、
前記レンズを凹レンズとし、前記操作ボタンの操作面を前記凹レンズの凹形状に沿った湾曲傾斜面とし、前記湾曲傾斜面の曲率半径と前記凹レンズの曲率半径とを略等しくしたことを特徴とする携帯機器。
【発明の詳細な説明】
【０００１】
【発明の属する技術分野】
本発明は、液晶表示パネルを覆うレンズと該レンズの外周部に配列された操作ボタンとを有する携帯機器であり、特にデジタルカメラに関する。
【０００２】
【従来の技術】
図３に示すように、従来、デジタルカメラなどの携帯機器２００では、例えば、撮影に関する様様な情報をアイコンで表示する液晶表示パネルを覆うレンズ２０２が配設されており、このレンズ２０２の外周部における十字状となる位置には、それぞれ操作ボタン２０４が配設されているものがある。また、このような携帯機器２００では、指の腹で各操作ボタン２０４を押圧操作するようになっている。
【０００３】
【発明が解決しようとする課題】
しかしながら、このような構成では、一般的に、レンズ２０２に凸レンズを使用し、液晶表示パネルの表示をできるだけ大きく表示するようにしている。従って、通常、各操作ボタン２０４を操作する際に、操作する指の腹を先ずレンズ２０２上に載置するが、この場合、指の腹が凸レンズ２０２の頂部と当接するため、指が滑り易く安定しないので、操作性が良くない。
【０００４】
本発明は上記事実を考慮し、外周部に操作ボタンが配列されたレンズに指を当接した際に、指が滑り難く操作性が良い携帯機器を提供することを目的とする。
【０００５】
【課題を解決するための手段】
上記目的を達成するため、請求項１に記載の発明では、撮影に関する様様な情報をアイコンで表示する表示パネルを覆うレンズと、該レンズの外周部に配列された操作ボタンと、を有する携帯機器において、
前記レンズを凹レンズとし、前記操作ボタンの操作面を前記凹レンズの凹形状に沿った湾曲傾斜面とし、前記湾曲傾斜面の曲率半径と前記凹レンズの曲率半径とを略等しくしたことを特徴とする。
【０００６】
従って、レンズが撮影に関する様様な情報を表示する表示パネルを覆っているため、レンズで覆われた表示パネルを目視できる。また、操作ボタンの操作面が、凹レンズの凹形状に沿った湾曲傾斜面となっているため、凹レンズの外周部に配列された操作ボタンを操作する際に、操作する指の腹を凹レンズの凹形状に沿って移動することで、操作する指の腹を容易に操作ボタンの操作面上に移動させることができるため、操作性が向上する。また、操作ボタンの操作面の曲率半径と凹レンズの曲率半径とを略等しくすることによって、外観品質も向上する。
【００１１】
【発明の実施の形態】
本発明に係る携帯機器の一実施形態を図１及び図２に従って説明する。
【００１２】
図１には、本実施形態に係る携帯機器としてのデジタルカメラ１０が示されている。このデジタルカメラ１０の筐体１２の後面側には、例えば、撮影に関する様様な情報をアイコンで表示する液晶表示パネルを覆うレンズ１４が配設されており、このレンズ１４の外周部における十字状となる位置には、それぞれ操作ボタン１６、１８、２０、２２が配設されている。
【００１３】
図２に示される如く、レンズ１４は、プリント基板２４上に配設された液晶表示パネル２８を覆っており、意匠面（カメラ外側面）１４Ａの曲率半径がＲ１の凹レンズによって構成されている。また、レンズ１４は、外周縁部１４Ｂが筐体１２に形成された開口部２６の外周部１２Ａに固定されている。
【００１４】
操作ボタン２０は筐体１２に形成された開口部３０を挿通しており、操作ボタン２０の操作面２０Ａは、凹レンズ１４の意匠面１４Ａに沿った湾曲傾斜面となっている。また、本実施形態では操作ボタン２０の操作面２０Ａの曲率半径Ｒ２と凹レンズ１４の意匠面１４Ａの曲率半径Ｒ１とが略等しくなっている。
【００１５】
レンズ１４の外周方向に沿った操作ボタン２０の両端部には、回転軸３４が形成されている。これらの回転軸３４は、操作ボタン２０のプリント基板２４側におけるレンズ１４側の端部近傍に形成されており、筐体１２に形成された軸受部（図示省略）に回転可能に軸支されている。
【００１６】
従って、操作ボタン２０が指４０の腹４０Ａで押圧された場合には、操作ボタン２０は、回転軸３４を中心にして、図２に実線で示される位置から、二点鎖線で示される位置方向（図２の矢印Ａ方向）へ回転し、プリント基板２４上に配設されたスイッチ３６をオンするようになっている。
【００１７】
なお、説明を省略するが、他の操作ボタン１６、１８、２２も操作ボタン２０と同様な構成となっている。
【００１８】
次に、本実施形態の作用を説明する。
【００１９】
通常、レンズ１４の外周部に配列された操作ボタン１６、１８、２０、２２を操作する際には、操作する指４０の腹４０Ａを、先ず、図２に一点鎖線で示すようにレンズ１４の意匠面１４Ａ上に載置する。この場合、本実施形態では、レンズ１４が凹レンズとなっており、操作する指４０の腹４０Ａが凹レンズ１４の底部１４Ｂと当接する。この結果、指４０が滑り難く、指４０の腹４０Ａの位置が安定する。従って、図２に二点鎖線で示すように、操作ボタン２０を操作する場合、又は他の操作ボタン１６、１８、２２を操作する場合においても、操作する指４０の腹４０Ａを、凹レンズ１４の底部１４Ｂを基準位置にして、上下左右方向へ移動することで、所望の操作スイッチを確実に押圧操作できる。このため、操作性が良い。
【００２０】
また、本実施形態では、操作ボタン２０の操作面２０Ａが、凹レンズ１４の意匠面１４Ａに沿った湾曲傾斜面となっているため、レンズ１４の外周部に配列された各操作ボタン１６、１８、２０、２２を操作する際に、操作する指４０の腹４０Ａをレンズ１４の凹形状に沿って移動することで、操作する指４０の腹４０Ａを容易に各操作ボタン１６、１８、２０、２２の操作面上に移動させることができるため、操作性が更に向上する。
【００２１】
更に、本実施形態では、操作ボタン２０の操作面２０Ａの曲率半径Ｒ２と凹レンズ１４の意匠面１４Ａの曲率半径Ｒ１とが略等しくなっているため、外観品質も向上する。
なお、本実施形態では、凹レンズ１４が撮影に関する様様な情報を表示する液晶表示パネル２８を覆っているため、凹レンズ１４で覆われた液晶表示パネル２８を目視できる。
【００２２】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、デジタルカメラについて説明したが、本発明の携帯機器は、表示パネルを覆うレンズと、該レンズの外周部に配列された操作ボタンと、を有する携帯機器であれば良いため、デジタルカメラに限るものではない。
【００２３】
また、操作ボタン１６、１８、２０、２２の数は４個に限定されず、表示パネルも液晶パネルに限定されない。
【００２４】
【発明の効果】
本発明は、上記構成としたので、請求項１に記載の発明では、表示パネルを目視できると共に外周部に操作ボタンが配列されたレンズに指を当接した際に、指が滑り難く操作性が良い、更に、観品質も向上するという優れた効果を有する。
【図面の簡単な説明】
【図１】  本発明の一実施形態に係る携帯機器が適用されたデジタルカメラの後面側外観を示す斜視図である。
【図２】  図１の２−２線に沿った断面図である。
【図３】  従来のデジタルカメラに後面側外観を示す斜視図である。
【符号の説明】
１０    デジタルカメラ（携帯機器）
１２    筐体
１４    レンズ
１６    操作ボタン
１８    操作ボタン
２０    操作ボタン
２２    操作ボタン
２４    プリント基板
２８    液晶表示パネル
【図１】
0003913973.tif 000002
【図２】
0003913973.tif 000003
【図３】
0003913973.tif 000004